(57)【要約】【課題】  ケーブルの誤接続を検出するためのユニットを接続元と接続先に設け、容易にケーブルの誤接続を検出すること。【解決手段】  接続元にある装置１側に置かれるユニット８が接続先の装置２、３側に置かれるユニット９へケーブルをどのように接続するかを指定する接続情報Ａをケーブル４〜７を通して送るとともに、ユニット８がユニット９へケーブル４〜７を通さずに接続情報Ａと同一の接続情報Ｂを送り、ユニット９が受信した接続情報Ａと接続情報Ｂを比較することによりケーブルの誤接続を検出する。【選択図】      図１
2006269213.tif 000002
【特許請求の範囲】
【請求項１】
複数のケーブルで接続されるシステム内の装置間のケーブル誤接続検出方式であって、接続元にある装置側に置かれるユニットＡが接続先の装置側に置かれるユニットＢへケーブルをどのように接続するかを指定する接続情報Ａをケーブルを通して送るとともに、前記ユニットＡが前記ユニットＢへ前記ケーブルを通さずに前記接続情報Ａと同一の接続情報Ｂを送り、前記ユニットＢが受信した接続情報Ａと接続情報Ｂを比較することによりケーブルの誤接続を検出することを特徴とするケーブル誤接続検出方式。
【請求項２】
システムの立ち上げが完了する前に前記接続情報Ａと前記接続情報Ｂを比較してケーブルの誤接続を検出することを特徴とする請求項１のケーブル誤接続検出方式。
【発明の詳細な説明】
【技術分野】
【０００１】
本発明はケーブル誤接続検出方式に関する。
【背景技術】
【０００２】
従来、ケーブルの誤接続を検出する方法としては、正しい接続の時にケーブルを通して導通ループが形成されるように回路を構成する方式があった。
【発明の開示】
【発明が解決しようとする課題】
【０００３】
この従来の方式はケーブルの本数が多くなったり、ケーブルの接続構成が状況によって変わる場合には、回路の構成が困難になるという問題があった。
【０００４】
この問題を解決するため、装置間で通信を行い接続状態を診断する方法があるが、各装置毎に診断機能を組み込む必要があり、汎用的とは言えなかった。
【０００５】
本発明の目的は、ケーブルの誤接続を検出するためのユニットを接続元と接続先に設け、容易にケーブルの誤接続を検出できるケーブル誤接続検出方式を提供することにある。
【課題を解決するための手段】
【０００６】
本発明の第１のケーブル誤接続検出方式は、複数のケーブルで接続されるシステム内の装置間のケーブル誤接続検出方式であって、接続元にある装置側に置かれるユニットＡが接続先の装置側に置かれるユニットＢへケーブルをどのように接続するかを指定する接続情報Ａをケーブルを通して送るとともに、前記ユニットＡが前記ユニットＢへ前記ケーブルを通さずに前記接続情報Ａと同一の接続情報Ｂを送り、前記ユニットＢが受信した接続情報Ａと接続情報Ｂを比較することによりケーブルの誤接続を検出することを特徴とする
。
【０００７】
本発明の第２のケーブル誤接続検出方式は、本発明の第１のケーブル誤接続検出方式において、システムの立ち上げが完了する前に前記接続情報Ａと前記接続情報Ｂを比較してケーブルの誤接続を検出することを特徴とする。
【発明の効果】
【０００８】
本発明により、ケーブルの誤接続を検出できるだけでなく、ケーブルが誤接続されている箇所も特定することが可能である。
【０００９】
また、ケーブルの接続構成がシステム構成によって変わる場合でも、接続情報の修正のみで対応できるため、汎用性がある。
【発明を実施するための最良の形態】
【００１０】
次に、本発明を実施するための最良の形態について図面を参照して詳細に説明する。
図１は本発明の構成を示す図である。図１を参照すると、装置１〜３はシステム内の装置を示し、装置１は装置２や装置３を制御する上位装置、装置２と装置３は下位装置とする。ケーブル４〜７は装置間を接続し装置間とのデータ伝送に加え、接続情報送出のための信号線を含んだケーブルである。ユニット８は接続情報を上位装置の各ケーブルへ送出するユニットであり、ユニット９はケーブルを通して送られてきた接続情報と、ユニット８から送出した接続情報を比較し、接続状態を確認するユニットである。
【００１１】
接続情報とはケーブルをどのように接続するかという接続構成を示す情報であり、例えばケーブルの接続先となる正しいコネクタを指定する情報である。図３に一例を示す。
【００１２】
装置１と装置２は、ケーブル４，ケーブル６を介して、コネクタａ，コネクタｅとコネクタｃ，コネクタｆにより接続されている。また装置１と装置３は、ケーブル５，ケーブル７を介して、コネクタｂ，コネクタｇとコネクタｄ，コネクタｈにより接続されている。また、これらのケーブルおよびコネクタには、上位装置から下位装置へ接続情報を伝送するための信号線が追加されている。
【００１３】
接続情報を送出するユニット８は、上位装置のそれぞれのケーブルの各コネクタへ接続されており、ケーブルの接続先を示す情報がケーブルを通して、下位装置のコネクタへ伝送される。さらに、下位装置のコネクタとユニット９が接続されており、下位装置が受け取った接続情報をユニット９へ伝送する。また、接続状態を比較、確認するために上位装置へ送出した接続情報と同じ情報をユニット８からユニット９へも伝送する。
【００１４】
接続状態を比較、確認するユニット９は、下位装置の各コネクタから送られてきた接続情報を受け取り、ユニット８から送られきた接続情報と比較し、ケーブルの接続に誤りを検出すれば、接続情報を元に誤った箇所を特定する。
【００１５】
次に、本発明を実施するための最良の形態の動作について図面を参照して説明する。
ケーブル４〜７を接続した後に、ユニット８から接続情報を送出して、接続状態の確認を行う。接続情報にはケーブルの接続先を示す内容を含めておく。
【００１６】
ユニット８から送出された接続情報は、上位装置のコネクタａ〜ｄに入り、ケーブル４〜７を通して、下位装置のコネクタｅ〜ｈから、ユニット９に入力される。
【００１７】
この時ユニット９において、ユニット８から直接受ける接続情報と、ケーブル４〜７を通して送られた接続情報が一致していれば、接続が正しいことが分かる。逆に、接続情報が一致していなければ、接続が誤っていることが分かる。
【００１８】
図２のようにケーブル４と５の接続先が入れ替わっている場合を例にとって説明する。
【００１９】
ユニット８がコネクタａに送出する接続情報は、接続先がコネクタｅであることを示しているが、ユニット９が受け取るコネクタｅからの接続情報は、コネクタｂを示している。また同様に、ユニット８がコネクタｂに送出する接続情報は、接続先がコネクタｂであることを示しているが、ユニット９が受け取るコネクタｇからの接続情報は、コネクタａを示している。従って、この２箇所の接続の誤りと同時に、誤っている箇所も明らかにできる。
【００２０】
一方、コネクタｃ、ｄ、ｆ、ｈは、ユニット９において、ユニット８から直接受ける接続情報とケーブル５、７を通して送られた接続情報が一致するので、接続が正しいことが分かる。上記の接続誤りの一例の内容を表にまとめたのが、図３である。
【００２１】
また、システムを立ち上げが完了する前に上記の動作を実行することにより、誤接続を早期に発見することができる。
【図面の簡単な説明】
【００２２】
【図１】本発明の正しいケーブル接続の一例の構成を示した図である。
【図２】本発明の誤ったケーブル接続の一例の構成を示した図である。
【図３】本発明の接続誤りの一例の内容をにまとめた図である。
【符号の説明】
【００２３】
１、２、３    装置
４、５、６、７    ケーブル
８、９    ユニット
ａ、ｂ、ｃ、ｄ    コネクタ
ｅ、ｆ、ｇ、ｈ    コネクタ
【図１】
2006269213.tif 000003
【図２】
2006269213.tif 000004
【図３】
2006269213.tif 000005